(57)【要約】【課題】載置される物品を確実に支持できるとともに、段ボールの使用量を少なくして材料コストを削減でき、容易に組立作業を行うことができるようにした安価な段ボール製受け台を提供する。【解決手段】被包装物を支持部材５上に載置して支持する段ボール製受け台において、支持部材５は、左右の側縁部５ａ´，５ａ´が各第２側板２，２に当接する第１延設部５ａと、一方の第１側板１´の内面の一部に当接する当接部５ｃと、第１延設部５ａの各側縁部５ａ´，５ａ´から延びて当接部５ｃに一体に連続する一対の第２延設部５ｂ，５ｂとを備え、当接部５ｃは、該当接部５ｃが当接する第１側板１´の上縁に折目線を介して連接された押さえ片１ｂを内方に折返すことにより、該第１側板１´と押さえ片５ｃとの間に挟持される。【選択図】  図２
2006335429.tif 000002
【特許請求の範囲】
【請求項１】
矩形状の底板と該底板の前後端縁に連設されて互いに対向して起立する一対の第１側板と、前記底板の左右端縁に連接されて互いに対向して起立する一対の第２側板と、前記底板上に設けられた多角筒状の支持部材とを備え、
被包装物を包装する際に被包装物を前記支持部材上に載置して支持する段ボール製受け台において、
前記支持部材は、左右の側縁部が各第２側板に当接して両第２側板間に延びる第１延設部と、
一方の第１側板の内面の一部に当接する当接部と、
前記第１延設部の各側縁部から延びて該当接部に一体に連続する一対の第２延設部とを備え、
前記当接部は、該当接部が当接する第１側板の上縁に折目線を介して連接された押さえ片を内方に折返すことにより、該第１側板と押さえ片との間に挟持されていることを特徴とする段ボール製受け台。
【請求項２】
前記第２側板は、その前後側縁に折目線を介して連設された一対の舌片を備え、各舌片は、内方に折曲げられて前記各第１側板の内面に重合され、
前記押さえ片を備える一方の第１側板は、該押さえ片の両側における上縁に折目線を介して連設された一対の折返片を内方に折返すことにより各第２側板の一方の舌片を保持し、
他方の第１側板は、その上縁の全長にわたる折目線を介して連設された単一の折返片を内方に折返すことにより各第２側板の他方の舌片を保持することを特徴とする請求項１記載の段ボール製受け台。
【発明の詳細な説明】
【技術分野】
【０００１】
本発明は、段ボール箱内に収納された物品を載せるための段ボール製の受け台であって、特に物品の底部に突起部分を有するシャワートイレ等の支持に適した段ボール製受け台に関する。
【背景技術】
【０００２】
従来、この種の段ボール製受け台としては、図５（ａ）、（ｂ）及び（ｃ）に示すように、角筒の上下方向に切込を有するそれぞれ４片のフラップ（１０，２０，３０，４０，５０，６０，７０，８０）を設けられなるものが知られている（例えば特許文献１参照。）。かかるダンボール製受け台においては、先ず図５（ａ）に示すように、角筒の下方向のフラップ（１０，２０，３０，４０）を折目線（例えば、折目線４１，４２，４３）に沿って折返すとともに、折返されたフラップ（例えばフラップ３０）の露出した切込（例えば切込３５，３７）に対して、隣接するフラップ（例えばフラップ４０）の切込（例えば切込４５）を係合させる。次に、図５（ｂ）に示すように、角筒の上方のフラップ（５０，６０，７０，８０）を折目線（例えば、折目線７１，７２）に沿って折返すとともに、角筒の下方のフラップに設けられた切込み（例えば切り込み２９，４４）に、角筒の上方のフラップに設けられた切込（例えば切込７３，７４）を係合させることにより枠体９０を形成する。最後に、図５（ｃ）に示すように、枠体９０に補強片１００を装着してなる。
【０００３】
しかしながら、従来の段ボール製受け台では、角筒の上下方向の各フラップ（１０，２０，３０，４０，５０，６０，７０，８０）に、折返しのための複数の折線とフラップ同士の係合のための複数の切込とを設ける必要が生じ、製造工程が複雑化する。また、物品の載置に際し、一定の強度を持たせるためには、各フラップ（１０，２０，３０，４０，５０，６０，７０，８０）の折返し回数を増やし、折返部が重合するようにする必要がある。そのため、折返し回数に合わせて各フラップの面積を増加させる必要が生じ、材料コスト高くなる。
【０００４】
さらに、該段ボール製受け台を組み立てるに当たっては、上述のように、各フラップ（１０，２０，３０，４０，５０，６０，７０，８０）を折り返し、隣接するフラップ同士の切込を係合させるともに、角筒の上下方向のフラップの切込同士も係合するように組み立てる必要が生じ、組立作業時間が長くなり製造コストが高くなる。
【特許文献１】特開平８−１１９３６６号公報
【発明の開示】
【発明が解決しようとする課題】
【０００５】
本発明は、以上の点に鑑み、載置される物品を確実に支持できるとともに、段ボールの使用量を少なくして材料コストを削減でき、容易に組立作業を行うことができるようにした安価な段ボール製受け台を提供することをその課題としている。
【課題を解決するための手段】
【０００６】
上記課題を解決するために、本発明の段ボール製受け台は、矩形状の底板と該底板の前後端縁に連設されて互いに対向して起立する一対の第１側板と、前記底板の左右端縁に連接されて互いに対向して起立する一対の第２側板と、前記底板上に設けられた多角筒状の支持部材とを備え、被包装物を包装する際に被包装物を前記支持部材上に載置して支持する段ボール製受け台において、前記支持部材は、左右の側縁部が各第２側板に当接して両第２側板間に延びる第１延設部と、一方の第１側板の内面の一部に当接する当接部と、前記第１延設部の各側縁部から延びて該当接部に一体に連続する一対の第２延設部とを備え、前記当接部は、該当接部が当接する第１側板の上縁に折目線を介して連接された押さえ片を内方に折返すことにより、該第１側板と押さえ片との間に挟持されていることを特徴とする。
【０００７】
本発明の段ボール製受け台によれば、前記支持部材は、第１延設部の両側縁部がそれぞれ各第２側板と当接していることから、前記底板上の左右方向の動きが規制される。さらに、該支持部材は、当接部が第１側板に設けられた押さえ片により該第１側板と押さえ片との間に挟持され、前後方向の動きが規制される。これより、該支持部材は、底板上の前後左右方向の動きが規制され、載置される物品を確実に支持できる。また、該支持部材は当接部と押さえ片のみによって挟持されるため、従来のような側板の余分な折返し部分を設ける必要がなく、段ボールの使用量を少なくして材料コストを削減できるとともに、組付けが簡単で容易に組立作業を行うことができる。
【０００８】
また、本発明の段ボール製の受け台は、前記第２側板は、その前後側縁に折目線を介して連設された一対の舌片を備え、各舌片は、内方に折曲げられて前記各第１側板の内面に重合され、前記押さえ片を備える一方の第１側板は、該押さえ片の両側における上縁に折目線を介して連設された一対の折返片を内方に折返すことにより各第２側板の一方の舌片を保持し、他方の第１側板は、その上縁の全長にわたる折目線を介して連設された単一の折返片を内方に折返すことにより各第２側板の他方の舌片を保持することを特徴とする。
【０００９】
かかる本発明の段ボール製受け台によれば、前記第１及び第２側板は、該第２側板に設けられた一対の舌片が、各第１側板に設けられた折返片によって保持されることにより安定な箱体が形成される。さらに、一方の第１側板の上縁には折目線を介して連接された前記押さえ片と該押さえ片の両側に位置する一対の折返片とを有する。すなわち、側板に余分な折返し部分や切り込み等を設けることなく、一方の舌片を一対の折返片によって保持するとともに前記支持部材を押さえ片によって挟持することができる。これにより、段ボールの使用量を少なくして材料コストを削減でき、容易に組立作業を行うことができる。
【発明を実施するための最良の形態】
【００１０】
次に、添付の図面を参照しながら本発明の実施の形態についてさらに詳しく説明する。本発明の実施の形態を図１から図４を参照して説明する。図１（ａ）は本実施形態の段ボール製受け台の斜視図、図１（ｂ）は本実施形態の段ボール製受け台の支持部材の斜視図、図２は図１（ａ）の段ボール製受け台を真上から見た説明図、図３（ａ）は本実施形態の段ボール製受け台の箱体の展開図、図３（ｂ）は本実施形態の段ボール製受け台の支持部材の展開図、図４は本実施形態の組立工程を示す説明図である。
【００１１】
図１（ａ）に示すように、本実施形態の段ボール製受け台は、先ず、矩形状の底板３と該底板３の前後端縁に連設されて互いに対向して起立する一対の第１側板１，１´と、底板３の左右端縁に連接されて互いに対向して起立する一対の第２側板２，２とからなる箱体４が形成されている。そして、底板３上には、図１（ｂ）に示す多角筒状の支持部材５を備えている。
【００１２】
一方の第１側板１は、図２に示すように、その上縁の全長にわたる折目線を介して連設された単一の折返片１ａを有し、他方の第１側板１´は、その上縁の中央に折目線を介して連設された押さえ片１ｂと、該押さえ片１ｂの両側における上縁に折目線を介して連設された一対の折返片１ｃ，１ｃを有する。第２側板２，２は、それぞれその前後側縁に折目線を介して連設された一対の舌片２ａ，２ａを備えている。各舌片２ａは、内方に折曲げられて前記各第１側板１，１´の内面に重合される。そして、一方の第１側板１は前記単一の折返片１ａを内方に折返し、該折返片１ａの上端に設けられた突部１ａ´を底板３の切込３ａ（図３（ａ）参照）に係合させることにより、各第２側板２，２の一方の舌片２ａ，２ａを保持する。他方の第１側板１´は前記一対の折返片１ｃ，１ｃを内方に折返し、該一対の折返片１ｃ，１ｃの上端に設けられた突部１ｃ´，１ｃ´を底板３の切込３ｃ（図３（ａ）参照）に係合させることにより、各第２側板２，２の他方の舌片２ａ，2ａを保持する。
【００１３】
支持部材５は、図１（ｂ）に示すように、板体を折り曲げることにより形成される第１延設部５ａと一対の第２延設部５ｂ，５ｂと当接部５ｃとからなる多角筒状体である。第１延設部５ａは、前記第２側板２，２に当接する側縁部５ａ´，５ａ´を有する。第２延設部５ｂ，５ｂは、第１延設部５ａの各側縁部５ａ´，５ａ´から延びて前記当接部５ｃに一体に連続する。当接部５ｃは、前記板体の両側端部５ｄ，５ｄ（図３（ｂ）参照）を有し、一方の第１側板１´の内面の一部に当接する。そして、該当接部５ｃは、図２に示すように、前記押さえ片１ｂを内方に折返し、該押さえ片１ｂの上端に設けられた突部１ｂ´を底板３の切込３ｂ（図３（ａ）参照）に係合させることにより、該第１側板１と押さえ片１ｂとの間に挟持される。
【００１４】
次に、図３（ａ）及び図３（ｂ）の展開状態からの組立を、順を追って説明する。先ず、前記箱体４は、図３（ａ）の展開状態から、第２側板２，２を折目線ｙ１，ｙ１を介して垂直に折曲げて起立させると共に、該第２側板２，２の側縁に連設された各一対の舌片２ａ，２ａを折目線ｘ１，ｘ１を介して垂直に内方に折曲げる。次いで、第１側板１，１´を折目線ｘ２，ｘ２を介して垂直に折曲げて起立させる。ここで、図４に示すように、前記各一対の舌片２ａ，２ａを第１側板１，１´の内面に重合させる。そして、上述のように、一方の第１側板１に設けられた単一の折返片１ａを折目線ｘ３を介して内方に折返し、該折返片１ａの上端に設けられた突部１ａ´を底板３の切込３ａに係合させるとともに、他方の第１側板１´に設けられた一対の折返片１ｃ，１ｃを内方に折返し、該一対の折返片１ｃ，１ｃの上端に設けられた突部１ｃ´，１ｃ´を底板３の切込３ｃ，３ｃに係合させることにより、第２側板２，２の各舌片２ａ，２ａを保持する。
【００１５】
支持部材５を形成するときには、先ず、図３（ｂ）の展開状態から、第１延設部５ａ及び第２延設部５ｂ，５ｂにおけるそれぞれの折目線ｘ４及び折目線ｘ５，ｘ５を介して二つ折りの板体を形成する。次いで、該板体を折目線ｙ２，ｙ２を介して内方に折曲げ第１延設部５ａを形成し、さらに折目線ｙ３，ｙ３を介して内方に折曲げ第２延設部５ｂ，５ｂ及び当接部５ｃを形成し、図１（ｂ）に示すような多角筒状体とする。支持部材５を二つ折りの板体とすることにより高い圧縮強度を得ている。
【００１６】
そして、前記押さえ片１ｂのみが開放された箱体４の底板３上に、第１延設部５ａの左右の側縁部５ａ´，５ａ´が各第２側板２，２に当接するように、支持部材５を起立状態で設ける。次に、当接部５ｃを両側端部５ｄ，５ｄを一致させた状態で、開放されている押さえ片１ｂ内方の第１側板１´の内面に当接部させる。尚、本実施形態において、両側端部５ｄ，５ｄに接続部を設け、両側端部５ｄ，５ｄを接続する構成としてもよい。最後に、上述のように、押さえ片１ｂが内方に折返され、該押さえ片１ｂの上端に設けられた突部１ｂ´を底板３の切込３ｂに係合させることにより、支持部材５は、該第１側板１´と押さえ片１ｂとの間に挟持される。
【００１７】
このようにして、支持部材５は、底板３上の前後左右方向の動きが規制され、載置される物品を確実に支持できる。また、支持部材５は当接部５ｃと押さえ片１ｂのみによって挟持されるため、段ボールの使用量を少なくして材料コストを削減できるとともに、組付けが簡単で容易に組立作業を行うことができる。そしてさらに、支持部材５は多角筒状体であることにより高い圧縮強度を得ながら、箱体４の内部に比較的広い空間を形成することができ、載置される物品がその底部に突起物を有するものであっても、その突起物を確実に収容することができる。
【図面の簡単な説明】
【００１８】
【図１】（ａ）本実施形態の段ボール製受け台の斜視図、（ｂ）本実施形態の段ボール製受け台の支持部材の斜視図。
【図２】図１（ａ）の段ボール製受け台を真上から見た説明図。
【図３】（ａ）は本実施形態の段ボール製受け台の箱体の展開図、（ｂ）は本実施形態の段ボール製受け台の支持部材の展開図。
【図４】本実施形態の組立工程を示す説明図。
【図５】（ａ）従来例における組立工程を示す説明図、（ｂ）従来例における組立工程を示す説明図、（ｃ）従来例における組立工程を示す説明図。
【符号の説明】
【００１９】
１，１´…第１側板、  １ａ…単一の折返片、  １ｂ…押さえ片、  １ｃ，１ｃ…一対の折返片、  ２…第２側板、２ａ…舌片、  ３…底板、  ４…箱体、  ５…支持部材、  ５ａ…第１延設部、  ５ａ´…側縁部、  ５ｂ…第２延設部、  ５ｃ…当接部。                                                                           
【図１】
2006335429.tif 000003
【図２】
2006335429.tif 000004
【図３】
2006335429.tif 000005
【図４】
2006335429.tif 000006
【図５】
2006335429.tif 000007